(57)【要約】【課題】１本の支柱に対して、物品の支持部材が揺動することなく、これを安定に支持させることができ、また組み付け、分解を簡単かつ迅速に行えるようにする。【解決手段】上下方向に所定間隔をおいて複数の係止孔１６が設けられた支柱１２と、支柱１２に対し着脱可能に装着され、この装着状態において前記係止孔１６に挿入される突起２０を持った保持枠１３と、前記装着状態において前記保持枠１３に対して略水平に突設された支持部材１４と、を備えて構成される。【選択図】図１
0003111649.tif 000002
【実用新案登録請求の範囲】
【請求項１】
上下方向に複数の係止孔が設けられた支柱と、
該支柱に着脱可能に装着され、この装着状態において前記係止孔に挿入可能な突起を持つ保持枠と、
該保持枠に設けられ、前記装着状態において略水平に突出される支持部材と、
を備えることを特徴とする物品支持装置。
【請求項２】
前記保持枠は、前記支柱の背面および両側面を被う上部コ字状枠部と、前記支柱の前面および両側面を被う下部コ字状枠部と、前記上部コ字状枠部および下部コ字状枠部に接続され、前記支柱の一方の側面を被う接続片部とを有し、
前記突起が前記上部コ字状枠部の背面板内面に突設され、前記支持部材が前記下部コ字状枠部の正面板外面に突設されてなることを特徴とする請求項１に記載の物品支持装置。
【請求項３】
前記上部コ字状枠部および下部コ字状枠部のうち、これらを接続する接続片部とは反対側の側板どうしが、前記支柱の幅寸法を超える大きさの間隔をおいて対向していることを特徴とする請求項２に記載の物品支持装置。
【考案の詳細な説明】
【技術分野】
【０００１】
本考案は、商品等の物品の陳列、展示または整理・整頓等の用途に利用する物品支持装置に関する。
【背景技術】
【０００２】
従来の物品陳列装置として、２本の支柱に複数の係止孔を列設しておき、棚板支持板端に突設したフックを、その係止孔に嵌合させることにより、その柵板支持板上に柵板を戴置可能にするものが知られている（例えば、特許文献１参照）。
この物品陳列装置では、棚板支持板上に戴置した棚板に、例えば置き売り用の商品を陳列することができる。
【０００３】
一方、ベース上に複数の係止孔を列設した１本の支柱を設立しておき、物品の支持棒端に突設した前記同様のフックを、前記係止孔に嵌合、保持させることにより、その物品支持棒を商品等の物品の吊持用として使用可能にしたものも提案されている。
【特許文献１】特開平８−１４０７９６号公報
【考案の開示】
【考案が解決しようとする課題】
【０００４】
しかしながら、従来の物品支持装置は、柵板支持板端や物品支持棒端に設けたフックを、支柱側の係止孔に嵌合、保持させる構成を採用するものであるため、フックと係止孔との間に生じるガタによって、フックが左右に揺動する。
また、物品の重量が大きい場合には、フックが捩れたり、折れたりする場合がある。特に、物品を一つの物品支持棒で支持するものにあっては、前記揺動や捩れが大きくなり、長期の使用には耐えられないという問題がある。
【０００５】
本考案は、前記のような従来の問題点に着目してなされたものであり、１本の支柱に対して、支持部材が揺動することなく、また、支持部材に捩れを生じさせることなく、物品を安定に支持させることができ、組み付けおよび分解を簡単かつ迅速に行えるようにする物品支持装置を提供することを目的とする。
【課題を解決するための手段】
【０００６】
前記目的達成のために、本考案にかかる物品支持装置は、上下方向に複数の係止孔が設けられた支柱と、該支柱に着脱可能に装着され、この装着状態において前記係止孔に挿入可能な突起を持つ保持枠と、該保持枠に設けられ、前記装着状態において略水平に突出される支持部材と、を備えることを特徴とする。
【０００７】
これにより、支柱に保持枠を通し、この保持枠の突起を支柱に設けられた係止孔に挿入するようにして、支柱に保持枠の各部を当接することで、保持枠は支柱上の所定高さに安定支持される。このため、保持枠上の支持部材は前方へ略水平に突出し、この突出した支持部材に対し、衣料などの商品をハンガー等を用いて吊持させたり、商品陳列用の柵板を戴置したりすることができる。
【０００８】
また、本考案にかかる物品支持装置は、前記保持枠が、前記支柱の背面および両側面を被う上部コ字状枠部と、前記支柱の前面および両側面を被う下部コ字状枠部と、前記上部コ字状枠部および下部コ字状枠部に接続され、前記支柱の一方の側面を被う接続片部とを有し、前記突起が前記上部コ字状枠部の背面板内面に突設され、前記支持棒が前記下部コ字状枠部の正面板外面に突設されてなることを特徴とする。
【０００９】
これにより、突起が支柱背面の係止孔に挿入されて、支柱の背面、両側面および前面に前記上部コ字状枠部および下部コ字状枠部に当接された際に、保持枠は支柱上の所定位置に安定した姿勢で支持され、このとき支持部材は前方へ略水平に突出し、この支持部材への物品の吊持や、商品陳列用の柵板などの戴置等をそれぞれ可能にする。
【００１０】
また、本考案にかかる物品支持装置は、前記上部コ字状枠部および下部コ字状枠部のうち、これらを接続する接続片部とは反対側の側板どうしが、前記支柱の幅寸法を超える大きさの間隔をおいて対向していることを特徴とする。
【００１１】
これにより、枠部材を傾けるように操作して、前記上部コ字状枠部および下部コ字状枠部の各側板の間から枠部材内に支柱を介在させ、さらにこの枠部材を直立方向に回動操作して、前記上部コ字状枠部上の突起を支柱上のいずれかの係止孔に嵌め込むという操作により、簡単、迅速に支柱に対する枠部材の取り付けを可能にする。
【考案の効果】
【００１２】
本考案は、支柱に対し複数の係止孔を設け、前記支柱に対し、前記係止孔に挿入される突起を持った保持枠を着脱可能に装着し、この装着状態において、前記支持枠に一体の支持部材を略水平に保持することにより、保持枠を支柱上の所定高さに安定支持することができる。
この結果、保持枠上で略水平に突出する指示部材に対し、商品などの物品を吊持させたり、商品陳列用の柵板を戴置させたりすることができる。また、支柱に対する保持枠の着脱を、極めて簡単、迅速に行うことができる。
【考案を実施するための最良の形態】
【００１３】
以下、本考案の実施形態の物品支持装置について、図面を参照して詳細に説明する。
本考案の物品支持装置を、図１に示す。図１において、物品支持装置１１は、支柱１２と、保持枠１３と、物品の支持部材としての支持棒１４と、を有する構成である。
【００１４】
これらのうち、支柱１２は、図２にも示すように、断面が矩形の金属製または合成樹脂製のパイプからなり、ベース部材１５上に直立するように設立されている。この支柱１２には、裏面に複数個の係止孔１６が等間隔に穿設されている。この係止孔１６は、後述の突起が挿入可能な形状、サイズを持ち、直径が、吊持される物品または物品陳列用の柵板等の重量に耐える突起２０を受け入れる大きさの丸孔とされている。
【００１５】
前記ベース部材１５は、支柱１２を床面上に安定支持するサイズおよび重量を持ち、例えば、肉厚の鋼板などからなる。
保持枠１３は、図３乃至図５に示す通りである。図３は保持枠１３の正面図、図４は同じく左側面図、図５は同じく右側面図である。この保持枠１３は、支柱１２に対し着脱可能に装着され、この装着状態において前記係止孔１６に挿入される、後述の突起２０を有する。
【００１６】
この保持枠１３の詳細は、次の通りである。この保持枠１３は、前記支柱１２の背面および両側面を被う上部コ字状枠部１７と、前記支柱１２の前面および両側面を被う下部コ字状枠部１８と、前記上部コ字状枠部１７および下部コ字状枠部１８を接続し、前記支柱１２の一方の側面を被う接続片部１９と、を有する。
また、前記上部コ字状枠部１７の背面板１７ａの内面には、前記の突起２０が突設され、前記下部コ字状枠部１８の正面板１８ａ外面には、前記支持棒１４が突設されている。
【００１７】
さらに、前記上部コ字状枠部１７および下部コ字状枠部１８のうち、これらを接続する前記接続片部１９とは反対側の側板１７ｂ、１８ｂどうしが、前記支柱１２の幅寸法ｈを超える大きさの間隔Ｈをおいて、対向している。
【００１８】
前記保持枠１３は、板金または合成樹脂の成形などにより形成されている。なお、前記突起２０の外径は、吊持される物品または物品陳列用の柵板等の重量に耐える大きさで、長さは係止孔１６を貫通し、保持枠１３を確実に保持し得る程度とされる。
前記支持棒１４の基部は、前記正面板１８ａに対し溶接や一体成形などにより固定されている。
支持棒１４の先端上部には、これに吊持された商品などの脱落を防止する脱落防止用突起２１が突設されている。
【００１９】
次に、前記構成になる物品支持装置の組み付け方法を、図６乃至図９を参照しながら説明する。
まず、図２に示すように、ベース部材１５上に設立された支柱１２を、床上に設置する。次に、保持枠１３を用意し、突起２０が支柱１２の背面側、すなわち係止孔１６がある側にくるようにする。
続いて、保持枠１３を、図６に示すように大きく傾け(例えば、４５°）、前記側板１７ｂ、１８ｂ間に支柱１２を挟み込むようにする。このとき、支柱１２の一側面に保持枠１３の接続片部１９の内面を当接させる。
【００２０】
この状態では、保持枠１３を、支柱１２に沿って上下移動操作することが可能である。そこで、支柱１２の所定の高さにある係止孔１６に、保持枠１３の突起２０が向かう方向に、保持枠１３を支柱１２に沿って摺動操作する。
また、支柱１２上の係止孔１６の位置を見定めて、保持枠１３の姿勢を、図７に示すように、徐々に矢印方向に回動操作して、立ち上げていく。
【００２１】
この立ち上げ中に、前記突起２０を目的とする係止孔１６に挿入し、背面板１７ａおよび正面板１８ａの各内面を、支柱１２の背面および正面にそれぞれ当接させる。これにより、突起２０は係止孔１６に支承されて、保持枠１３の落下が規制される。
【００２２】
さらに、上部コ字状枠部１７、下部コ字状枠部１８および接続片部１９は、図９に示すように、支柱１２の各面に対しそれぞれ略密接する状態になる。このため、保持枠１３は支柱１２に対しガタ付きを生じることなく、安定保持される。また、保持枠１３の支柱１２からの分離（脱抜)は、前記組み付け手順の逆の手順により、迅速、容易に行える。
【００２３】
なお、前記においては、支持部材として、１本の支持棒１４を例に挙げて説明したが、この支持棒１４に代えて、図１０に示すように、複数本（ここでは、４本）のハンガーバー２２を有するＴ字状支持部材２３とすることもできる。また、図１１に示すように、ガラス製や木製、あるいは合成樹脂製の所定形状(ここでは、円形）の柵板２４が戴置可能なＹ字状支持部材２５とすることもできる。
【００２４】
図１０のハンガーバー２２は、例えば衣料２６等を掛けた複数のハンガーのフック部２７を吊持するように機能する。また、Ｔ字状支持部材２３は、剛性の高い金属や合成樹脂の一体成形品として得ることができる。
【００２５】
また、図１１のＹ字状支持部材２５は、前記柵板２４を落下防止しながら安定に保持するサイズの、金属や合成樹脂の一体成形品として得ることができる。
前記支持部材としては、支持棒１４、Ｔ字状支持部材２３およびＹ字状支持部材２５に限らず、これら以外のあらゆる形状、サイズの支持手段を任意に選択して使用してもよい。
【００２６】
このように、本実施形態の物品支持装置は、上下方向に所定間隔をおいて複数の係止孔１６が設けられた支柱１２と、支柱１２に対し着脱可能に装着され、この装着状態において前記係止孔１６に挿入される突起２０を持った保持枠１３とを有し、前記装着状態において支持部材が略水平に突設されるように構成したことにより、物品の支持部材を揺動させずに、安定に支持させることができ、かつ組み付け、分解を簡単かつ迅速に行える。
【産業上の利用可能性】
【００２７】
本考案の物品支持装置は、１本の支柱に対して、支持部材を揺動することなく、安定に支持させることができ、かつ組み付け、分解を簡単かつ迅速に行えるという効果を有し、商品等の物品の陳列、展示または整理・整頓等の用途に利用する物品支持装置等に利用して有効である。
【図面の簡単な説明】
【００２８】
【図１】本考案の実施形態による物品支持装置を示す要部の斜視図。
【図２】図１における支柱を示す背面側の斜視図。
【図３】図１における保持枠を示す正面図。
【図４】図３に示す保持枠の左側面図。
【図５】図３に示す保持枠の右側面図。
【図６】本考案における支柱への保持枠の組み付け手順を示す説明図。
【図７】本考案における支柱への保持枠の組み付け手順を示す説明図。
【図８】本考案における支柱への保持枠の組み付け手順を示す説明図。
【図９】図８におけるＡ-Ａ線断面図。
【図１０】本考案における支持部材の他の例を示す斜視図。
【図１１】本考案における支持部材のさらに他の例を示す斜視図。
【符号の説明】
【００２９】
１１…物品支持装置、１２…支柱、１３…保持枠、１４…支持棒(支持部材）、１６…係止孔、１７…上部コ字状枠部、１７ａ…背面版、１７ｂ…側面版、１８…下部コ字状枠部、１８ａ…正面板、１８ｂ…側板、１９…接続片部、２０…突起、２３…Ｔ字状支持部材(支持部材）、２４…Ｙ字状支持部材（支持部材）、
【図１】
0003111649.tif 000003
【図２】
0003111649.tif 000004
【図３】
0003111649.tif 000005
【図４】
0003111649.tif 000006
【図５】
0003111649.tif 000007
【図６】
0003111649.tif 000008
【図７】
0003111649.tif 000009
【図８】
0003111649.tif 000010
【図９】
0003111649.tif 000011
【図１０】
0003111649.tif 000012
【図１１】
0003111649.tif 000013